(57)【特許請求の範囲】
【請求項１】
扉枠部と、前記扉枠部の先端面近傍において前記扉枠部の一方の側面から他方の側面へ向けて貫通して形成され、かつ前記扉枠部の厚さ方向に対してずれた方向へ延びる案内孔とを有する扉部材と、
前記扉枠部の一方の側面と他方の側面にそれぞれ取り付けられ、相互に前記扉枠部の厚さ方向に対してずれた位置で、かつ前記案内孔の開口部の位置に設置された一対のハンドル部と、前記各ハンドル部のハンドル回動軸と同心軸上に設けられた一対の連結部と、前記連結部の間に連結され、前記扉枠部の厚さ方向に対してずれた方向へ延び、かつ前記案内孔の中に設けられたユニバーサルジョイント軸部とを有する扉ハンドルとを備えることを特徴とする扉構造。
【請求項２】
前記扉ハンドルは、前記各ハンドル部の少なくとも一方のハンドル操作部に形成された杆連結部と、前記杆連結部に連結された杆と、前記杆連結部が連結された前記ハンドル部のハンドル回動軸の上下方向の位置に設けられた回動係合部とが設けられ、
前記扉構造が取り付けられる扉取付体は、前記扉部材が閉じられた状態で少なくとも上下いずれかの扉側端部の近傍に被係合部が設けられ、
前記回動係合部は、前記扉ハンドルの回動操作に従って回動し、前記被係合部に対して係合することを特徴とする請求項１に記載の扉構造。
【発明の詳細な説明】
【技術分野】
【０００１】
本発明は、防音扉のように遮音性や密閉性を有する厚みを持った扉構造、及びこれに用いる扉ハンドルに関する。
【背景技術】
【０００２】
従来、防音扉のように厚みを持った扉構造は、図５（ａ）に示すように、扉枠部５１により形成された空隙に防音材５２が充填されている。例えば、特許文献１においては、扉枠部により形成された空隙のうち何れか一方の長手面（側面）の略全域に互いに間隔をおいて複数の裏板を設け、他方の長手面と裏板との間に複数の骨材を設け、さらに、残りの空隙に防音材が充填されており、裏板と骨材の構成に特徴を持たせることでデザイン性、遮音性に優れた効果を有する防音扉が開示されている。
【特許文献１】特開２００６−９７２６４号公報
【０００３】
また、厚みを持った扉構造は、図５（ａ）に示すように、向かい合う扉枠部先端面において、その間に隙間を確保した状態で、相互に扉開閉時の当接を防止する切欠き部５３が扉枠部の厚さ方向に対してずれた方向に向かって端から端まで連続的に形成されている。
【０００４】
そして、このような扉構造において、ハンドル軸部６１を有した扉ハンドル６０が取り付けられる場合、図５（ｂ）に示すように、扉枠部５１の一方の側面から防音材５２を介して他方の側面へ、扉枠部の厚さ方向と同方向に向けて貫通孔５４，５５が形成され、当該貫通孔５４，５５の中に扉枠部の厚さ方向と同方向に延びたハンドル軸部６１が設けられる。
【発明の開示】
【発明が解決しようとする課題】
【０００５】
しかしながら、扉枠部５１の一方の側面と他方の側面にそれぞれ取り付けられるハンドル部は、貫通孔５４，５５の開口部の位置に設置されるので、相互に扉枠部の厚さ方向の位置に設けられる。このため、隣り合う扉枠部５１を正面から見るとハンドル取り付け位置のスパンが広く、デザイン性を失い、利用者がハンドル操作しにくいという問題がある。また、ハンドル軸部６１が防音材５２に貫通されているので、遮音性を失うという問題もある。さらに、扉枠部５１の貫通孔５４の近傍にある防音材５２の一部がそこから飛び出してハンドル軸６１にからまって扉ハンドル６０の動作にも支障をきたすおそれがあるという問題もある。
【０００６】
このような問題に着目し、本発明は、防音扉のように厚みを持った扉構造において、隣り合う扉部材のハンドル取り付け位置のスパンが広くならず、また、扉枠部の一方の側面から他方の側面へ向けて形成する貫通孔を防音材に貫通させずに形成することができ、デザイン性や遮音性を失わない扉ハンドル及び扉構造を提供することを目的とする。
【課題を解決するための手段】
【０００７】
本発明の解決しようとする課題は上記のとおりであり、次にこの課題を解決するための手段とその効果を説明する。
【０００８】
本発明の扉構造は、扉枠部と、前記扉枠部の先端面近傍において前記扉枠部の一方の側面から他方の側面へ向けて貫通して形成され、かつ前記扉枠部の厚さ方向に対してずれた方向へ延びる案内孔とを有する扉部材と、前記扉枠部の一方の側面と他方の側面にそれぞれ取り付けられ、相互に前記扉枠部の厚さ方向に対してずれた位置で、かつ前記案内孔の開口部の位置に設置された一対のハンドル部と、前記各ハンドル部のハンドル回動軸と同心軸上に設けられた一対の連結部と、前記連結部の間に連結され、前記扉枠部の厚さ方向に対してずれた方向へ延び、かつ前記案内孔の中に設けられたユニバーサルジョイント軸部とを有する扉ハンドルとを備えることを特徴としている。
この構成によれば、ユニバーサルジョイント軸部を用いることにより扉枠部の厚さ方向に対してずれた方向へ延びる案内孔の中に設けることができる。また、ユニバーサルジョイント軸部が扉ハンドルの回動操作により得られる回動力を回動軸の方向から偏角方向に変化させて伝達できるので、扉枠部の一方の側面と他方の側面において取り付けられるハンドル部を相互に扉枠部の厚さ方向に対してずれた位置に設けることができる。これにより、隣り合う扉部材のハンドル取り付け位置のスパンが広くならず、また、扉枠部の一方の側面から他方の側面へ向けて形成する孔を防音材には貫通させずに形成でき、扉構造のデザイン性や遮音性を失わずに扉ハンドルを利用することができる。
【発明を実施するための最良の形態】
【０００９】
以下、図面を用いて本発明の扉ハンドル及び扉構造の一実施の形態を説明する。図１は扉ハンドル及び扉構造の内部状態を示した横断面図である。本実施の形態においては、二枚の扉構造１０ａ，１０ｂを並設し、門柱等の扉取付体に固定された蝶番を中心に開閉できるように設けられている。一方の扉構造１０ａは可動用、他方の扉構造１０ｂは固定用として用いられる。扉構造１０ａは、扉部材１１ａ及び扉ハンドル１２ａを備えている。
【００１０】
扉部材１１ａは、扉枠部１１１ａと、扉枠部１１１ａにより形成された空隙１１２ａに充填された防音材１１３ａと、扉枠部先端面１１４ａ近傍において扉枠部の一方の側面１１５ａから他方の側面１１６ａへ向けて貫通して形成され、かつ扉枠部１１１ａの厚さ方向に対してずれた方向（ここでは幅方向にずれた方向）へ延びる案内孔１１７ａとを有している。
【００１１】
一方、扉ハンドル１２ａは、相互に扉枠部１１１ａの厚さ方向に対してずれた位置で、かつ案内孔１１７ａの開口部１１８ａの位置に設置された一対のハンドル部１２１ａと、各ハンドル部１２１ａのハンドル回動軸１２２ａと同心軸上に設けられた一対の連結部１２３ａと、連結部１２３ａの間に連結され、扉枠部１１１ａの厚さ方向に対してずれた方向へ延び、かつ案内孔１１７ａの中に設けられたユニバーサルジョイント軸部１２４ａとを有している。また、連結部１２３ａの先端部分は矩形状を形成し、一方、扉ハンドル１２ａのハンドル回動軸１２２ａの位置においては連結部１２３ａを嵌着させる矩形上の被嵌着部が形成されている。
【００１２】
図１に示すように、隣り合う扉構造１０ａ，１０ｂのハンドル取り付け位置は、それぞれ扉枠部の扉枠部先端面１１４ａ近傍の側面に貫通して形成した案内孔の開口部１１８ａの位置にあるので、隣り合う扉構造１０ａ，１０ｂを正面から見るとハンドル取り付け位置は、利用者がハンドル操作しやすい位置にあり、スパンが広くなく、デザイン性を維持できる。また、案内孔１１７ａは、扉枠部１１１ａにのみ形成され、防音材１１３ａには形成されていないので、防音材１１３ａの一部が案内孔１１７ａから飛び出したりせず、遮音性を維持できる。その他、防音材１１３ａの一部がユニバーサルジョイント軸部１２４ａにからまったりすることもなく、扉ハンドル１２ａの動作に支障をきたすこともない。
【００１３】
なお、扉構造１０ｂも、扉構造１０ａと同様の扉部材１１ｂ及び扉ハンドル１２ｂが備えられており、符号１１１ａ〜１１７ａ、１２１ａ〜１２４ａと同様の符号１１１ｂ〜１１７ｂ、１２１ｂ〜１２４ｂが備えられている。また、扉構造１０ａ，１０ｂは、向かい合う扉枠部先端面１１４ａ，１１４ｂにおいて、その間に隙間を確保した状態で、相互に扉開閉時の当接を防止する切欠き部１１８ａ，１１８ｂが扉枠部の厚さ方向に対してずれた方向に向かって端から端まで連続的に形成されている。図１において示す切欠き部１１８ａは斜め形状、切欠き部１１８ｂは「く」の字状をしているが、曲線状や弓形状としても良い。また、扉ハンドル１２ａ，１２ｂとを構成する各部材同士の連結あるいは固定手段は、特に限定されるものではないが、その他、扉部材１１ａ，１１ｂ及び扉ハンドル１２ａ，１２ｂの形状、サイズ、材質等は、特に制限されるものではなく、また、扉ハンドル１２ａ，１２ｂを構成する各部材の連結、固定の態様についても特に制限されるものではない。
【００１４】
次に、ユニバーサルジョイント軸部１２４の構成について説明する。図２はユニバーサルジョイント軸部１２４を示した図である。本実施の形態のユニバーサルジョイント軸部１２４は、２つのシングルタイプのユニバーサルジョイント１２４１，１２４２が連結されている。ここで、シングルタイプのユニバーサルジョイントは、図２の部分拡大図に示すように、回動力を入力する側の軸（以下、入力軸という）に固定する第１ヨーク２１、回動力を出力する側の軸（以下、出力軸という）に固定する第２ヨーク２２、及び第１ヨーク２１および第２ヨーク２２を連結するコマ２３により構成されている。具体的に、第１ヨーク２１とコマ２３、及び第２ヨーク２２とコマ２３は、相互にそれぞれに設けたピン孔にピンを同軸に挿嵌することにより連結されている。また、第１ヨーク２１とコマ２３に挿嵌したピンと第２ヨーク２２とコマ２３に挿嵌したピンとは相互に垂直に交差する位置関係にある。これにより、第１ヨーク２１は入力軸上にある部材と一体に回動し、第２ヨーク２２は出力軸上にある部材と一体に回動し、第１ヨーク２１および第２ヨーク２２は、それぞれコマ２３に対して回動可能な構造になっている。
【００１５】
そして、このように構成されるシングルタイプのユニバーサルジョイント１２４１，１２４２は、コマ２３の軸心の位置において第１ヨーク２１（入力軸方向と同一）と第２ヨーク２２（出力軸方向と同一）とは偏角（θ）をなしており、第１ヨーク２１に入力される入力軸方向からの回動力を偏角（θ）方向に変化させて第２ヨーク２２に伝達できる。これにより、一方の扉ハンドル１２の回動操作により得られる回動力は、当該回動軸１２２と同心軸上に設けられた連結部１２３を介して、例えば、図２に示すユニバーサルジョイント１２４１の第１ヨーク２１に入力され、その回動軸の方向から第１ヨーク２１と偏角（θ）をなす第２ヨーク２２の方向に変化し、これと同方向のユニバーサルジョイント軸部１２４２の第２ヨーク２２を介し、当該第２ヨーク２２と偏角（θ）をなす第１ヨーク２１の方向に変化し、これと同方向の他方の連結部１２３を介して扉ハンドル１２に伝達する。なお、偏角（θ）は、回動力を入力軸から出力軸に伝達する制限範囲である許容偏角がある。したがって、ユニバーサルジョイント軸部１２４は、第１ヨーク２１と第２ヨーク２２とによりなされる偏角（θ）が許容偏角の状態で案内孔１７の中で設けられる必要がある。なお、シングルタイプのユニバーサルジョイントの許容偏角は約３５°以下となっている。また、本実施の形態のユニバーサルジョイント軸部１２４は、２つのシングルタイプのユニバーサルジョイントが連結されたものであるが、シングルタイプのユニバーサルジョイントが多数連結されたものとしても良い。
【００１６】
以上、本発明の一実施の形態では、説明の便宜上、最もシンプルな扉構造を例に説明したが、その要旨を逸脱しない範囲で適宜容易に設計可能であり、例えば、グレモン錠等を設けること等は容易に実施できる。
【００１７】
また、別の実施の形態として、図３に示すように、扉ハンドル１２には、ハンドル操作部に形成された杆連結部４１と、当該杆連結部４１に連結された杆４２と、杆連結部４１が連結された扉ハンドル１２のハンドル回動軸の上下方向の位置に設けられた回動係合部４４とが設けられても良い。一方、扉構造１０が取り付けられる扉取付体４５には、扉部材１１が閉じられた状態の上下の扉側端部の近傍に被係合部４８が設けられても良い。このような構成によれば、回動係合部４４は、扉ハンドル１２の回動操作に従って動作する連結部４６により、回動軸部４３を中心に回動し、係合部４７が被係合部４５に係脱する動作を行なう。これにより、扉ハンドル１０の回動操作と一体的に施解錠を行うことができ、外観や機能を損ねることなく、扉構造のデザインの多様化を図ることができる。なお、上記構造は扉構造１０の面上でなく、内部に設けても良く、適宜容易に設計可能である。
【００１８】
さらに、別の実施の形態として、扉ハンドル及び扉構造の形態は、図４に示すように、扉枠部の一方の側面１１５ａから他方の側面１１６ａへ向けて貫通して形成され、かつ扉枠部１１１ａの厚さ方向に対してずれた方向（ここでは高さ方向にずれた方向）へ延びる案内孔１１７ａを設け、当該案内孔１１７ａの中にユニバーサルジョイント軸部１２４ａを有する扉ハンドル１２４ａを設けても良い。これにより、扉構造の遮音性を失わずにデザイン性を向上させて扉ハンドルを利用することができる。
【図面の簡単な説明】
【００１９】
【図１】本発明の一実施の形態の扉ハンドル及び扉構造の内部状態を示した横断面図
【図２】本発明の一実施の形態の扉構造に備えるユニバーサルジョイント軸部を示した図
【図３】本発明の別の実施の形態において施解錠手段が設けられた扉構造を正面から見た図
【図４】本発明の別の実施の形態の扉ハンドル及び扉構造の内部状態を示した縦断面図
【図５】（ａ）従来の厚みを持った扉構造の型を示す横断面図  （ｂ）（ａ）の扉構造に扉ハンドルが取り付けられた状態を示す横断面図
【符号の説明】
【００２０】
１０  扉構造
１１  扉部材
１２  扉ハンドル
１１１  扉枠部
１１２  空隙
１１３  防音材
１１４  扉枠部先端面
１１５，１１６  扉枠部側面
１１７  案内孔
１１８  開口部
１２１  ハンドル部
１２２  ハンドル回動軸
１２３  連結部
１２４  ユニバーサルジョイント軸部
２１  第１ヨーク
２２  第２ヨーク
２３  コマ
４１  杆連結部
４２  杆
４３  回動軸部
４４  回動係合部
４５  被係合部
４６  連結部
４７  係合部
【図１】
0004881889.tif 000002
【図２】
0004881889.tif 000003
【図３】
0004881889.tif 000004
【図４】
0004881889.tif 000005
【図５】
0004881889.tif 000006